(57)【特許請求の範囲】
【請求項１】
外部の映像データ入出力装置との間で映像データの入出力を行う映像データ記録再生装置であって、
映像データを記録および再生する大容量の記憶装置と、該記憶装置に記録および再生する映像データを一時的に記憶するバッファメモリと、少なくとも前記記憶装置と前記バッファメモリとの間でのデータ転送を制御する制御部とを、備え、
前記制御部は、記録と再生を同時に処理し、前記バッファメモリは、記録用と再生用で共有されることを特徴とする映像データ記録再生装置。
【請求項２】
請求項１記載において、
前記バッファメモリは、記録用と再生用で使用するメモリサイズを前記制御部からの設定により変更できることを特徴とする映像データ記録再生装置。
【請求項３】
請求項２記載において、
何らかの要因により記録用と再生用のバッファメモリの容量が不足する場合、前記したメモリサイズの変更を実行し、記録を優先させて記録用のバッファメモリサイズが大きくなるように制御することを特徴とする映像データ記録再生装置。
【請求項４】
請求項３記載において、
前記したメモリサイズの変更において再生用のバッファメモリサイズが小さく設定されたとき、小さくなった再生用のバッファメモリサイズに合わせて、再生用のバッファメモリに記録する再生データを間引く等してデータ量を減らし、小さい再生用のバッファメモリサイズにおいても再生時間の減少を補えるようにすることを特徴とする映像データ記録再生装置。
【請求項５】
請求項４記載において、
小さく設定された再生用のバッファメモリのサイズ減少分の比率に合わせて、間引く再生データのデータ量を設定できることを特徴とする映像データ記録再生装置。
【請求項６】
請求項４記載において、
間引くデータを、再生映像データのフレーム単位とすることを特徴とする映像データ記録再生装置。
【請求項７】
請求項４記載において、
再生映像データがＭＰＥＧ２方式の映像データである場合、間引くデータを、Ｉ、Ｐ、Ｂフレーム単位とすることを特徴とする映像データ記録再生装置。
【請求項８】
請求項４記載において、
再生映像データの解像度を落とすことで、再生データのデータ量を減少させることを特徴とする映像データ記録再生装置。
【請求項９】
請求項８記載において、
小さく設定された再生用のバッファメモリのサイズ減少分の比率に合わせて、再生映像データの解像度を落とすことを特徴とする映像データ記録再生装置。
【請求項１０】
請求項４記載において、
再生映像データの圧縮率を上げることにより、再生データのデータ量を減少させることを特徴とする映像データ記録再生装置。
【請求項１１】
請求項１０記載において、
小さく設定された再生用のバッファメモリのサイズ減少分の比率に合わせて、再生映像データの圧縮率を上げることを特徴とする映像データ記録再生装置。
【請求項１２】
請求項３記載において、
通常再生用に設定されているバッファメモリの再生用のデータ領域を２つ以上の複数の領域に分け、この複数の領域の１つに、再生データを間引く処理を行う際には間引かれないデータを、この複数の領域の他のものには、再生データを間引く処理を行う際には間引く対象候補となるデータを、それぞれ振り分けて記録するようにし、前記したように記録を優先させて記録用のバッファメモリサイズが大きくなるように設定したときには、前記間引く対象候補となるデータに割り当てられた領域の少なくとも１つが、記録用のデータ領域となるように制御することを特徴とする映像データ記録再生装置。
【請求項１３】
請求項１２記載において、
再生データの間引き率に合わせて、前記再生用のデータ領域の前記複数の各領域のサイズを任意に設定可能とすることを特徴とする映像データ記録再生装置。
【請求項１４】
請求項１２記載において、
前記再生用のデータ領域を分割してなる前記複数の領域の数を、再生データの間引き率に合わせて設定することを特徴とする映像データ記録再生装置。
【請求項１５】
請求項４、５、６、７、１２、１３、１４の何れか１つに記載において、
再生用バッファメモリから間引かれて出力される再生データに、前後の再生データから補間した補間データを挿入して、映像データ出力装置に出力することを特徴とする映像データ記録再生装置。
【発明の詳細な説明】
【０００１】
【発明の属する技術分野】
本発明は、映像データを記録再生する映像データ記録再生装置に係り、特に、記録と再生を同時に処理することができる映像データ記録再生装置に関するものである。
【０００２】
【従来の技術】
従来、映像データの記録と再生を同時に処理する装置では、映像データの記録系の処理と再生系の処理とが完全に分離され、個々に独立して制御されていたため、それらの処理系に必要な一時記憶用のバッファメモリに関しても、それぞれの処理系で独立した容量のメモリを備えた構成となっていた。また、大容量記憶装置に対する記録と再生のためのアクセスは、記録処理（バッファメモリから大容量記憶装置への書き込み動作）と再生処理（大容量記憶装置からバッファメモリへの読み出し動作）を、時分割で交互に処理することで実現していた。
【０００３】
なお、バッファメモリのバスバンド幅を拡げることにより、２つあったバッファメモリブロックを１系統にまとめて、記録と再生を同時に処理することも可能であるが、この場合も、記録と再生の処理系はそれぞれ独立しているため、それぞれに必要なメモリ容量は固定されたものとなっていた。
【０００４】
【発明が解決しようとする課題】
ところで、上記した従来の映像データ記録再生装置では、映像データの記録と再生を同時に処理しているときに、記憶装置（大容量記憶装置）に何らかの障害が発生し、記憶装置へのアクセスが一時的に滞ってしまうような事態に陥った場合、記録用バッファメモリ領域と再生用データが不足してくる。このようなことが発生すると、記録中の映像が途切れ、また、再生中の映像も途切れてしまう。再生映像は記録済みのデータが消去されるわけではないので、致命的な問題とはならないが、記録していた映像が途切れると、致命的なエラーとなる。
【０００５】
本発明は上記した従来技術のもつ問題点を解消するためになされたもので、その目的とするところは、記憶装置へのアクセスが一時的に滞ってしまうような事態に陥った場合でも、映像データを途切れることなく記録し、かつ、再生画像を途切れることなく出力可能な映像データ記録再生装置を提供することにある。
【０００６】
【課題を解決するための手段】
上記目的を達成するために、本発明による映像データ記録再生装置では、再生用のバッファメモリ領域の一部を、一時的に記録用に利用可能とするように制御することで、記録用として不足していたバッファメモリ容量を確保し、かつ、再生用として不足した分だけ再生データを間引くことで、再生映像の品質は低下するものの、再生用として必要なバッファメモリ使用量を減らすことで、再生映像の連続性は保証するように、構成する。
【０００７】
つまり、再生用のバッファメモリ領域の一部を記録用に利用することで、映像入力データは途切れることなく、記憶装置へ記録され、また、再生映像は再生用のバッファメモリサイズが減った分だけ再生映像データを間引くことによってデータ量を削減し、再生映像も途切れることなく出力できるようにする。
【０００８】
【発明の実施の形態】
以下、本発明の実施の形態を、図面を用いて説明する。図１は、本発明の一実施形態に係る映像データ記録再生装置の構成を示すブロック図である。
【０００９】
図１において、１は映像入力装置、２は映像入力データ制御回路、３はバッファメモリ＆メモリ制御回路、４は記憶装置Ｉ／Ｆ制御回路、５は記憶装置（ここでは、記憶装置としてＨＤＤを用いたシステムとしているが、記憶装置はこれに限られものではない）、６はデータ間引き制御回路、７は映像出力データ制御回路、８は映像出力装置、９はシステムコントローラ、１０はシステムバスである。ここで、映像入力装置１と映像出力装置８は、映像データ記録再生装置に接続される外部装置であり、構成要素２、３、４、５、６、７、９、１０が映像データ記録再生装置に含まれるものとなっている。
【００１０】
まず、映像入力装置１から入力される信号が記憶装置（ここではＨＤＤ）５に記録される系について説明する。
【００１１】
図１に示す構成において、映像入力装置１から映像データ（音声データ等も含む）が映像入力データ制御回路２に送られる。この入力映像データがアナログ信号の場合、映像入力データ制御回路２に備えられたＡ／Ｄ変換回路によりデジタル信号に変換され、さらに、映像入力データ制御回路２に備えられたＤＶ方式、ＭＰＥＧ１方式、ＭＰＥＧ２方式などの圧縮を行う回路によって、必要に応じてデジタルデータサイズの縮小処理が施される。また、映像入力装置１からの映像データがデジタル信号である場合には、Ａ／Ｄ変換の必要なく、そのままのデジタルデータを取り扱い、また、上記と同様に、必要に応じてＤＶ方式、ＭＰＥＧ１方式、ＭＰＥＧ２方式などの圧縮処理が施される（映像入力装置１からの映像データが、既にＭＰＥＧ２等に圧縮されたデジタルデータの場合も勿論あり得るが、ここでは、Ａ／Ｄ変換のみを施したデジタルデータを取り扱うとしている）。映像入力データ制御回路２から出力されるデジタルデータは、システムバス１０を介してバッファメモリ＆メモリ制御回路３に送られる。
【００１２】
バッファメモリ＆メモリ制御回路３は、入出力レート（データ転送速度）とＨＤＤ５へのアクセスレートの違いを吸収して、効率的なデータ転送処理を行うために必要なものであり、ここでは、ＨＤＤ５のデータ転送レートは、映像データ転送レートと比較して非常に高いものであるとする。
【００１３】
図２は、バッファメモリ＆メモリ制御回路３中のバッファメモリのメモリ領域変更とデータ制御の概念を示す図であるが、この図３の概念図に示すように、バッファメモリ３ａは、見かけ上、バッファメモリ領域３ａ−１に対しての入出力を担う４つのポート３ａ−２、３ａ−３、３ａ−４、３ａ−５を持つメモリとして、システムコントローラ９によりメモリ制御回路を介してコントロールされる。４つのポートのうち２つのポートは、記録系の映像データ入力ポート３ａ−２と記録データ出力ポート３ａ−３で、他の２つのポートは、再生系の再生データ入力ポート３ａ−４と映像データ出力ポート３ａ−５である。このバッファメモリ３ａは、記録系処理と再生系処理とで共有して利用されるように制御されており、また、記録系処理と再生系処理が同時に実行できるように制御される。記録と再生が同時に処理されるので、バッファメモリ３ａのメモリ領域３ａ−１は、記録データ用の領域と再生データ用の領域の２つに分けて、システムコントローラ９によってメモリ制御回路を介して管理されるようになっている。記録する映像データのデータ転送レートと再生する映像のデータ転送レートとが等しい場合、上記２つの領域は、バッファメモリ３ａのメモリ領域３ａ−１を２等分した領域がそれぞれの領域として割り当てられる。また、記録と再生とでデータ転送レートが異なる場合には、それらのレートに比例してそれぞれの領域に配分設定することも可能なようになっている。
【００１４】
映像入力データ制御回路２からシステムバス１０を介してバッファメモリ＆メモリ制御回路３に送出された映像データは、映像データ入力ポート３ａ−２から取り込まれ、バッファメモリ３ａ（バッファメモリ領域３ａ−１）の記録データ用の領域に書き込まれる。この領域に書き込まれた記録用データは、記録データ出力ポート３ａ−３からシステムバス１０を介して記憶装置Ｉ／Ｆ制御回路４へ出力される。記憶装置Ｉ／Ｆ制御回路４に送られたデータは、記憶装置（ＨＤＤ）５に記録される。
【００１５】
次に、記憶装置（ＨＤＤ）５に記録された映像データを再生する系について説明する。
【００１６】
記憶装置（ＨＤＤ）５から読み出されたデータは、記憶装置Ｉ／Ｆ制御回路４に出力され、データを間引く必要のないときには、記憶装置Ｉ／Ｆ制御回路４からシステムバス１０を介して、バッファメモリ＆メモリ制御回路３のバッファメモリ３ａの再生データ入力ポート３ａ−４に送られ、バッファメモリ３ａ（バッファメモリ領域３ａ−１）の再生データ用の領域に書き込まれる。また、再生データを間引く必要のあるときには、記憶装置（ＨＤＤ）５から読み出されたデータは、記憶装置Ｉ／Ｆ制御回路４を介して、データ間引き回路６へ送られる。このデータ間引き回路６では、システムコントローラ９の指示にしたがってデータ間引きの処理を行い、間引きされたデータは、システムバス１０を介して、バッファメモリ＆メモリ制御回路３のバッファメモリ３ａの再生データ入力ポート３ａ−４に送られ、バッファメモリ３ａ（バッファメモリ領域３ａ−１）の再生データ用の領域に書き込まれる。
【００１７】
バッファメモリ３ａの再生データ用の領域に書き込まれた再生データは、映像データ出力ポート３ａ−５から、システムバス１０を介して、映像出力データ制御回路７に送られる。映像出力データ制御回路７では、後段の映像出力装置８がアナログ信号を取り扱う場合には、映像出力データ制御回路７に備えられたＤ／Ａ変換回路により変換したアナログ信号を、映像出力装置８に出力する。また、ＤＶ方式、ＭＰＥＧ１方式、ＭＰＥＧ２方式などの圧縮が施されているデータに対しては、映像出力データ制御回路７に備えられたデコーダ回路によって伸張処理を施した後のデータを出力するようになっている。映像出力装置８に送られたデータは、映像出力装置８の表示手段上で再生表示される。
【００１８】
本実施形態では、ＨＤＤ（ハードディスクドライブ）を記憶装置５として利用しているので、ここで、映像データを記録処理および再生処理する際に問題となるＨＤＤの動作について、以下簡単に説明する。
【００１９】
セクタリード／ライト時にエラーが発生した場合、ＨＤＤは自動的にリトライ処理を実行し、エラーからの回復を図る。このようなリトライ処理には、リード／ライトエラーおよびシークエラーに対するものがある。
【００２０】
リード／ライト時のリトライ処理は、同じセクタを再びアクセスするために、ディスクが１回転して同じセクタがヘッドに来るのを待つためのディスク１回転分の待ち時間が発生する。この待ち時間は、例えば５４００ｒｐｍのＨＤＤの場合、約１１．１ｍｓとなる。このため、エラーが回復するのに数回のリトライが必要であった場合、そのリトライ回数×ディスク１回転時間（１１．１ｍｓ）だけの余分の待ち時間が発生することになる。
【００２１】
また、シークエラーに対するリトライ処理は、指定されたセクタに対するアクセス要求が発生した場合にヘッドが目的のセクタがあるトラックへシーク動作（移動）を行った結果、何らかの要因（外部からの振動や衝撃、サーボ情報の不具合）で目的のトラックにオントラックすることができなかった場合に発生する。その処理内容はＨＤＤメーカ各社により若干異なるが、目的トラックへの位置決め精度を上げるために、一度基準となるトラックまたは領域へヘッドを移動し、そこから再び目的のトラックへヘッドを移動させるというものである。このときに掛かる処理時間は、これも各社のＨＤＤにより異なるが数百ｍｓが必要となる。
【００２２】
これらＨＤＤ仕様で規定された回数のリトライ実行後に、エラーを回復できた場合、ＨＤＤは自動的に交代処理を実行する。この交代処理は、リードとライトで処理内容が異なる。まず、リード時の動作は、規定回数のリトライ処理を実行後にエラーから回復したセクタデータを他の未使用セクタ（交代用の専用領域が設けられている）へ自動的に移動させるというもので、次に同じセクタへアクセス要求があった場合には、上記処理によって配置換えされたセクタに対してアクセスが実行されるように制御される。また、ライト時の動作は、規定回数のリトライ処理を実行後にエラーが回復しない場合、リードと同様に他の未使用セクタ（交代用の専用領域が設けられている）へライトデータを書き込むというもので、次に同じセクタへアクセス要求があった場合には、上記処理によって配置換えされたセクタに対してアクセスが実行されるように制御される。
【００２３】
また、ＨＤＤ周囲の温度変化に対するデータアクセスの精度、信頼性の維持のために実行される、サーマルキャリブレーション処理と呼ばれる処理動作がある。この処理も、各社のＨＤＤによって動作仕様は異なるが、おおよそ数十分毎に１回自動的にその処理を実行し、その処理に要する時間は数百ｍｓに及ぶものとなっている。そして、このサーマルキャリブレーション処理を実行している間は、ホストからＨＤＤに対してアクセスを行うことができない。
【００２４】
ＨＤＤでは、以上のようなデータの信頼性を維持するための処理が自動的に実行される。このような処理は、コンピュータシステムにとっては非常に重要なことではあるが、映像データを記録再生する装置においては予測できないオーバーヘッドとなる。
【００２５】
映像データの記録と再生を同時に処理している場合、バッファメモリ３ａと記憶装置（ＨＤＤ）５との間のデータ転送において、アクセス時に何らかの要因でエラーが頻繁に発生し、さらにＨＤＤの前記自動処理動作が重なることにより、ＨＤＤへのアクセスが滞るような事態が発生すると、記録用の映像入力データおよび再生用の映像出力データはリアルタイムで間断なく入出力が順次行われているため、バッファメモリの記録用のデータ領域は不足し、再生用データも不足することになる。このようなアクセスの滞りが一時的なものであったとしても、システムコントローラが管理しているバッファメモリの記録用のデータ領域と再生用のデータ領域とが固定されている場合には、記録用のデータ領域の残容量がなくなると、映像入力データが連続的に記録できなくなるという致命的な事態を招来する（これに対して、再生の場合には一時的に映像が途絶えるだけで、ＨＤＤに記録されているデータが消えてしまうということにはならないので、致命的な問題とはならない）。
【００２６】
そこで、本実施形態では、上記のような事態に陥る虞が生じたときには、すなわち、バッファメモリの記録用のデータ領域の残容量が規定の値より減ったことを検出したときには、例えば図２に示すように、バッファメモリ３ａのメモリ領域３ａ−１中の再生用のデータ領域のうちの２分の１を、記録用のデータ領域として使用できるように、システムコントローラ９が設定変更を行うことで、記録用のデータ領域を確保するようにしている（つまり、メモリ領域３ａ−１の全容量の４分の３を記録用のデータ領域として確保するようにしている）。このように制御することで、記録データの欠落という致命的な事態を免れることが可能となる。なお、ここでの例では、再生用のデータ領域のうちの２分の１を記録用のデータ領域とするとしたが、システムコントローラ９による記録用と再生用のデータ領域の設定は、任意の大きさで設定制御することが可能である。
【００２７】
このようにして、記録用のデータ領域は確保されるが、再生用のデータ領域は削減されているため、このままでは再生時のデータが不足し、再生映像が途切れるような事態が生じる。そこで、図１のデータ間引き制御回路６では、再生時の映像の品質は落ちるが映像が途切れて見えなくなるような事態が発生しないように、システムコントローラ９の指示によって、メモリ領域３ａ−１中の再生用のデータ領域の減少分に合わせてデータを間引くことで、再生用のデータ領域へ転送するデータ量を減らし、再生用のデータ容量の減少に対応させる。
【００２８】
具体的には、図２に示すように、バッファメモリ３ａのメモリ領域３ａ−１中の再生用のデータ領域のうちの２分の１が、記録用のデータ領域としてシステムコントローラ９によって設定された場合、データ間引き制御回路６において、記憶装置（ＨＤＤ）５より送られてきた映像データ（ここでは、フレーム単位のデータ）を、２フレームデータ毎に１フレームデータを間引くことによって、再生用のデータ領域の減少分を補うように、システムコントローラ９が設定する。ここでは説明の簡単化のため、データサイズが均等のフレームデータとしたが、ＭＰＥＧ２で圧縮された映像データの場合、Ｉ、Ｐ、Ｂ各フレームのデータサイズは一定でないので、例えば各フレーム当たりのデータサイズの比をＩ：Ｐ：Ｂ＝５：２．５：１としたとき、１ＧＯＰ（Ｇｒｏｕｐ  ｏｆ  Ｐｉｃｔｕｒｅ）単位当たりでの各フレームが占めるデータ量の比は、Ｉ：Ｐ：Ｂ＝１：２：２となる（ＭＰＥＧ２のパラメータ；Ｎ＝１５、Ｍ＝３）。これは例えば、Ｂフレームを間引くと４０％のデータ量を削減できるので、再生用のデータ領域の４０％分を記録用のデータ領域に設定できることを意味する。また、ＰとＢフレームの両方を間引くと、全体の８０％のデータ量を削減できるので、同様に、再生用のデータ領域の８０％を記録用に利用できるということになる。但し、このときの映像再生は、１ＧＯＰ（０．５秒）当たりにＩフレームの映像が１枚だけ再生されることになり、映像の品質は落ちることになるが、再生の連続性は保証される。
【００２９】
なお、データを間引く他の手法としては、再生データ入力の水平、垂直解像度を落としたり、データ圧縮をかけるなどして、同様の効果を引き出すことが可能である。
【００３０】
次に、バッファメモリ３ａのメモリ領域３ａ−１中の再生用のデータ領域に、すでに書き込まれている再生データに対して、間引き処理を行う手法について、図３と図４を用いて説明する。
【００３１】
図３は、再生データの間引き率を５０％としたときの、再生データ入力と、入力したデータが書き込まれるバッファメモリ３ａのメモリ領域３ａ−１中の各領域との関係を示したものである（このときの再生データは固定長のフレームデータであるとする）。まず、図３の（ａ）に示したように、フレーム単位の再生用入力データが、０→１→２→３→４→５→６→……のように順次入力してくるとき、再生用のデータ領域を、再生用領域「０」〜「３」というように４つの領域に分けて、フレーム単位で順次、メモリ領域３ａ−１中の再生用領域「０」→「１」→「２」→「３」→「０」→「１」→「２」→「３」→……というように、順番に記録していくように制御する。ここで、間引き率５０％は、２フレーム分のデータ毎に１フレーム分のデータを間引くことで実現できるので、例えば図３の（ａ）に示すように、偶数番号のフレームを再生し、奇数番号のフレームを間引くという制御を行う。すなわち、システムコントローラ９が再生用のデータ領域の５０％を記録用として利用できるように設定する場合、奇数番号の再生用領域を記録用として利用できるように設定することで、すでに奇数番号の再生用領域に記録された再生用データが自動的に無効化されたこと、すなわち、５０％分の再生データが間引かれたことになる。
【００３２】
同様に、図４は、再生データの間引き率を７５％としたときの、再生データ入力と、入力したデータが書き込まれるバッファメモリ３ａのメモリ領域３ａ−１中の各領域との関係を示したものである（このときの再生データも固定長のフレームデータであるとする）。この場合にはデータの間引き率は７５％であるので、４フレームのうち３フレーム分を間引いて、ここでは例えば、４つの再生用領域「０」〜「３」のうち領域「１」〜「３」の３つを、記録用として利用できるように設定する。このようにすることで、番号「１」〜「３」の再生用領域に記録された再生用データが自動的に無効化され、書き込み済みの再生データを７５％分間引いたことになる。
【００３３】
上述した図３、図４に示した例においても、説明の簡単化のため、データサイズが均等のフレームデータとしたが、ＭＰＥＧ２で圧縮された映像データの場合、Ｉ、Ｐ、Ｂ各フレームのデータサイズは一定でないので、前述と同様に、各フレーム当たりのデータサイズの比をＩ：Ｐ：Ｂ＝５：２．５：１としたとき、１ＧＯＰ（Ｇｒｏｕｐ  ｏｆ  Ｐｉｃｔｕｒｅ）単位当たりでの各フレームが占めるデータ量の比は、Ｉ：Ｐ：Ｂ＝１：２：２となる（ＭＰＥＧ２のパラメータ；Ｎ＝１５、Ｍ＝３）。これは先にも述べたように、Ｂフレームを間引くと４０％のデータ量を削減できるので、再生用のデータ領域の４０％分を記録用のデータ領域に設定できることを意味し、また、ＰとＢフレームの両方を間引くと、全体の８０％のデータ量を削減できるので、同様に、再生用のデータ領域の８０％を記録用に利用できるということを意味する。そこで、再生用のデータ領域を、再生用領域「０」〜「２」の３つの領域に分けて、それぞれの領域のサイズ配分を１：２：２となるようにする。そして、Ｉフレームデータを再生用領域「０」へ、Ｐフレームデータを再生用領域「１」へ、Ｂフレームデータを再生用領域「２」へ、それぞれ記録するように制御する。このように再生用領域を配分しておくことで、システムコントローラ９からの指示により再生用のデータ領域を記録に利用するように設定したい場合、まず、Ｂフレームデータを間引くように設定することで、再生用のデータ領域の４０％（再生用領域「２」）を記録用として利用可能になる。さらに、Ｐフレームデータも間引くように追加設定することで、再生用のデータ領域の８０％（再生用領域「１」および「２」）を記録用として利用可能になる。
【００３４】
なお、上述したような手法によって間引かれた再生用のデータの前後のデータを用いて補間データを生成し、この補間データを前後のデータの間に挿入して、再生表示させるような手段を設けることも可能である。
【００３５】
なおまた、前述した実施形態では、記憶装置５としてＨＤＤを用いた例を示したが、記憶装置はこれに限定されるものではなく、光磁気ディスク、光ディスクなどが適用可能である。また、前述で具体的に示した数値等についても、これに限られるものではない。
【００３６】
【発明の効果】
以上のように本発明によれば、映像データの記録と再生を同時に行う装置において、記憶装置へのアクセスが一時的に滞ってしまうような事態に陥った場合でも、映像データを途切れることなく記録し、かつ、再生画像を途切れることなく出力可能となる。つまり、記録の映像データが途切れることは致命的で復旧できないものに対して、本発明では、一時的に再生画像の画質を低下させることで記録用のバッファメモリ容量を確保し、映像データを途切れることなしに記録可能とし、かつ、表示においても、画質は低下するが途切れることなく再生出力することが可能となる（なお、記憶装置に記録されている再生データを操作するわけではないので、次回再生時には正常に表示される）。
【図面の簡単な説明】
【図１】本発明の一実施形態に係る映像データ記録再生装置の構成を示すブロック図である。
【図２】図１中のバッファメモリ＆メモリ制御回路における、バッファメモリのメモリ領域変更とデータ制御の概念を示す説明図である。
【図３】再生データの間引き率を５０％としたときの、再生データ入力と、入力したデータが書き込まれるバッファメモリの各領域との関係を示す説明図である。
【図４】再生データの間引き率を７５％としたときの、再生データ入力と、入力したデータが書き込まれるバッファメモリの各領域との関係を示す説明図である。
【符号の説明】
１  映像入力装置
２  映像入力データ制御回路
３  バッファメモリ＆メモリ制御回路
３ａ  バッファメモリ
４  記憶装置Ｉ／Ｆ制御回路
５  記憶装置（ＨＤＤ）
６  データ間引き制御回路
７  映像出力データ制御回路
８  映像出力装置
９  システムコントローラ
１０  システムバス
【図１】
0003593014.tif 000002
【図２】
0003593014.tif 000003
【図３】
0003593014.tif 000004
【図４】
0003593014.tif 000005